【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
プラズマディスプレイパネルを遠隔制御するための遠隔制御機からの信号、プラズマディスプレイパネル内に分離して配置されるモード選択スイッチからの信号のいずれか一方の受信に応じて、ＡＶモード又はＰＣモードを選択する段階と、
前記選択された動作モードに応じて、アドレス期間においてオンセルを選択する選択的書き込み方式のサブフィールド（ＳＷサブフィールド）の少なくとも１つと、アドレス期間においてオフセルを選択する選択的消去方式のサブフィールド（ＳＥサブフィールド）の少なくとも１つとを含む１フレーム期間内に配置されるサブフィールド配列又はサステインパルスの個数のいずれか少なくとも一つを別に制御する段階と、を含むことを特徴とするプラズマディスプレイパネルの駆動方法。
【請求項２】
前記サブフィールド配列とサステインパルスの個数のいずれか少なくとも一つを別に制御する段階は、
前記ＡＶモードが選択されたならば、前記ＳＥサブフィールドの個数を前記ＳＷサブフィールドの個数より多くする段階を含むことを特徴とする請求項１記載のプラズマディスプレイパネルの駆動方法。
【請求項３】
前記サブフィールド配列とサステインパルスの個数のいずれか少なくとも一つを別に制御する段階は、
前記ＰＣモードが選択されたならば、前記ＳＷサブフィールドの個数を前記ＳＥサブフィールドの個数より多くする段階を含むことを特徴とする請求項１記載のプラズマディスプレイパネルの駆動方法。
【請求項４】
前記サブフィールド配列とサステインパルスの個数のいずれか少なくとも一つを別に制御する段階は、
前記ＡＶモードが選択されたならば、動映像で輪郭ノイズの小さいサブフィールドが配列された第１サブフィールド配列を選択する段階と、
前記ＰＣモードが選択されたならば、前記第１サブフィールド配列より階調表現範囲の広いサブフィールドが配列された第２サブフィールド配列を選択する段階と、を含むことを特徴とする請求項１記載のプラズマディスプレイパネルの駆動方法。
【請求項５】
前記サブフィールド配列とサステインパルスの個数のいずれか少なくとも一つを別に制御する段階は、
前記ＰＣモードが選択されたならば、前記サステインパルスの個数を、前記ＡＶモードに対応して設定されるサステインパルスの個数より少なく制御する段階を含むことを特徴とする請求項１記載のプラズマディスプレイパネルの駆動方法。
【請求項６】
前記サブフィールド配列とサステインパルスの個数のいずれか少なくとも一つを別に制御する段階は、
前記ＰＣモードが選択されたならば、前記ＡＶモードで前記プラズマディスプレイパネル上に表示される画像の平均輝度に対して、５０％〜８０％の平均輝度で前記データが表示できるように前記サステインパルスの個数を減らすことを特徴とする請求項１記載のプラズマディスプレイパネルの駆動方法。
【請求項７】
プラズマディスプレイパネルを遠隔制御するための遠隔制御機からの信号、異なる媒体につながるケーブル信号、プラズマディスプレイパネル内に分離して配置されるモード選択スイッチからの信号のいずれか１つの受信に応じて、ＡＶモード又はＰＣモードを選択するモード選択部と、
前記選択された動作モードに応じて、アドレス期間においてオンセルを選択する選択的書き込み方式のサブフィールド（ＳＷサブフィールド）の少なくとも１つと、アドレス期間においてオフセルを選択する選択的消去方式のサブフィールド（ＳＥサブフィールド）の少なくとも１つとを含む１フレーム期間内に配置されるサブフィールド配列とサステインパルスの個数のいずれか少なくとも一つを別に制御する制御部と、を備えることを特徴とするプラズマディスプレイパネルの駆動装置。
【請求項８】
前記制御部は、
前記モード選択部によって選択された前記動作モードが前記ＡＶモードならば、１フレーム期間内における前記ＳＥサブフィールドの個数を前記ＳＷサブフィールドの個数より多くすることを特徴とする請求項７記載のプラズマディスプレイパネルの駆動装置。
【請求項９】
前記制御部は、
前記モード選択部によって選択された前記動作モードが前記ＰＣモードならば、１フレーム期間内における前記ＳＷサブフィールドの個数を前記ＳＥサブフィールドの個数より多くすることを特徴とする請求項７記載のプラズマディスプレイパネルの駆動装置。
【請求項１０】
前記制御部は、
前記モード選択部によって選択された前記動作モードが前記ＡＶモードならば、動映像で輪郭ノイズの小さいサブフィールドが配列された第１サブフィールド配列に前記データをマッピングし、
前記モード選択部によって選択された前記動作モードが前記ＰＣモードならば、前記第１サブフィールド配列より階調表現範囲の広いサブフィールドが配列された第２サブフィールド配列に前記データをマッピングすることを特徴とする請求項７記載のプラズマディスプレイパネルの駆動装置。
【請求項１１】
前記制御部は、
前記モード選択部によって選択された前記動作モードが前記ＰＣモードならば、前記サステインパルスの個数を、前記ＡＶモードに対応して設定されるサステインパルスの個数より少なく制御することを特徴とする請求項７記載のプラズマディスプレイパネルの駆動装置。
【請求項１２】
前記制御部は、前記モード選択部によって選択された前記動作モードが前記ＰＣモードならば、前記ＡＶモードで前記プラズマディスプレイパネル上に表示される画像の平均輝度に対して、５０％以上８０％以下の平均輝度で画像が表示できるように前記サステインパルスの個数を減らすことを特徴とする請求項１１記載のプラズマディスプレイパネルの駆動装置。
【請求項１３】
複数のスキャン／サステイン電極と、上部基板上に形成された複数の共通サステイン電極と、下部基板上に形成されたアドレス電極とを備えるプラズマディスプレイパネルと、
当該プラズマディスプレイパネルに接続される、請求項７および８〜１２の内のいずれかに記載されたモード選択部および制御部と、を備えたプラズマディスプレイパネル装置。
【手続補正２】
【補正対象書類名】明細書
【補正対象項目名】００５０
【補正方法】変更
【補正の内容】
【００５０】
図５のようなＰＣモードでＳＷサブフィールドＳＦ１〜ＳＦ７はバイナリーコーディングにて９６個の階調を表現することができ、ＳＥサブフィールドＳＦ８〜ＳＦ１２はリニアコーディングにて６個の階調を表現することができる。そして、ＡＶモードではＳＷサブフィールドＳＦ１〜ＳＦ５とＳＥサブフィールドＳＦ６〜ＳＦ１２との組み合わせによって総５７６個の階調が表現可能である。
【手続補正３】
【補正対象書類名】明細書
【補正対象項目名】００６０
【補正方法】変更
【補正の内容】
【００６０】
そして、図５のようなＰＣモードでプラズマディスプレイパネルが駆動されると、１フレーム期間内におけるアドレス期間は、｛３μｓ（ＳＷサブフィールドのスキャンパルス）×４８０（ライン数）×７（ＳＷサブフィールドの数）｝＋｛１μｓ（ＳＥサブフィールドのスキャンパルス）×４８０（ライン数）×５（ＳＥサブフィールドの数）｝＝１２．４８ｍｓである。この場合、サステイン期間は１６.６７ｍｓ（１フレーム期間）−１２．４８ｍｓ（アドレス期間）−１ｍｓ（垂直同期信号余裕期間）−６００μs（ＳＦ１〜ＳＦ６の消去期間）＝２．５９ｍｓである。
【手続補正４】
【補正対象書類名】図面
【補正対象項目名】図５
【補正方法】変更
【補正の内容】
【図５】
2005128545.tif 000001